(57)【要約】【課題】カウンターを良好に間口調整して設置することができ、壁面との隙間をキャビネットで隠して、すっきりとした設置状態が得られるキャビネット付きカウンターを提供する。【解決手段】部屋の壁面Ｗ１に沿って固定されたカウンター５と、このカウンター５の上方で且つ部屋のコーナー部に固定されたコーナーキャビネット６とを備え、コーナーキャビネット６の前板の下端をカウンター５の高さ位置と同等または下方まで延長して、この前板でカウンター側端部５ａと部屋の壁面Ｗ２との間の隙間を隠し、カウンター５の上方に位置するキャビネット６の側板を水平面内で回動可能な扉６５として構成する。【選択図】図１
2008067880.tif 000002
【特許請求の範囲】
【請求項１】
部屋の壁面に沿って固定されたカウンターと、該カウンターの上方で且つ部屋のコーナー部に固定されたキャビネットとを備えたキャビネット付きカウンターにおいて、
前記キャビネットの前板の下端を前記カウンターの高さ位置と同等または下方まで延長して前記カウンターの側端部と部屋の壁面との間の隙間を隠すように構成するとともに、前記カウンターの上方に位置するキャビネットの側板を水平面内で回動可能な扉としたことを特徴とするキャビネット付きカウンター。
【請求項２】
前記カウンターの上面と前記キャビネットの底板との間に隙間を設け、前記カウンターの側端部と前記キャビネットの底板との間に垂直に立ち上がった壁部を設けたことを特徴とする請求項１に記載のキャビネット付きカウンター。
【発明の詳細な説明】
【技術分野】
【０００１】
本発明は、トイレ等に設置されるキャビネット付きカウンターに関するものである。
【背景技術】
【０００２】
従来、特許文献１に開示されているように、カウンターを間口調整のためにキャビネット内にスライドさせる構成が存在し、また、特許文献２に開示されているように、コーナーキャビネットにカウンターを差込み固定することで間口調整を可能とした構成が存在する。
【特許文献１】実開平５−３８０７３号公報
【特許文献２】特開２００１−３４０２６５号公報
【発明の開示】
【発明が解決しようとする課題】
【０００３】
上記特許文献１に開示されている構成では、キャビネットは床上に設置したものであるため、床の水平が保たれないとカウンターとキャビネットの側板との間に隙間が生じて嵌合部が見苦しくなるという問題点があり、また、キャビネットの前面の扉を開ける時に、前方に設置されている便器の蓋等に干渉する場合があり、扉が開けにくいという問題点があった。
また、上記特許文献２に開示されている構造では、キャビネットの前面の扉を開けると、カウンター側端部の接続部分が見えることとなり、見栄え性が悪いという問題点があった。
【０００４】
なお、従来、図５に示すように、カウンター４０の側端部４０ａ上に、コーナーキャビネット４１の底板４１ａを配置させて、コーナーキャビネット４１でカウンター４０の側端部４０ａを隠すように構成した場合においても、カウンター４０の側端部４０ａと部屋の壁面との隙間が見えやすく、特にコーナーキャビネット４１の扉４１ｂを開けた時には、この隙間が露出して見栄えが悪くなり、また、扉４１ｂを前方側へ開ける時に、便器の蓋や便器に座っている人に干渉しやすいという問題点があった。
【課題を解決するための手段】
【０００５】
本発明は上記従来の問題点に鑑み案出したものであって、部屋の壁面との隙間を良好に隠し、カウンターを間口調整してすっきりとした状態で設置することができ、また、キャビネットの扉を開閉する際に便器の蓋や便器に座っている人と干渉することのないキャビネット付きカウンターを提供せんとするものであり、その請求項１は、部屋の壁面に沿って固定されたカウンターと、該カウンターの上方で且つ部屋のコーナー部に固定されたキャビネットとを備えたキャビネット付きカウンターにおいて、前記キャビネットの前板の下端を前記カウンターの高さ位置と同等または下方まで延長して前記カウンターの側端部と部屋の壁面との間の隙間を隠すように構成するとともに、前記カウンターの上方に位置するキャビネットの側板を水平面内で回動可能な扉としたことである。
【０００６】
また、請求項２は、前記カウンターの上面と前記キャビネットの底板との間に隙間を設け、前記カウンターの側端部と前記キャビネットの底板との間に垂直に立ち上がった壁部を設けたことである。
【発明の効果】
【０００７】
本発明は、部屋の壁面に沿って固定されたカウンターと、該カウンターの上方で且つ部屋のコーナー部に固定されたキャビネットとを備えたキャビネット付きカウンターにおいて、前記キャビネットの前板の下端を前記カウンターの高さ位置と同等または下方まで延長して前記カウンターの側端部と部屋の壁面との間の隙間を隠すように構成するとともに、前記カウンターの上方に位置するキャビネットの側板を水平面内で回動可能な扉としたことにより、キャビネットの前板で、カウンターの側端部と部屋の壁面との隙間を良好に隠すことができ、キャビネットの扉を開けても隙間が見えることはないため、使い勝手を損なうことなく見た目を良くすることができ、扉の開閉はカウンター上で行なわれるため、部屋がトイレのような狭い空間の場合でも、キャビネットの扉が便器の蓋や便器に座っている人と干渉することがない。
【０００８】
また、前記カウンターの上面と前記キャビネットの底板との間に隙間を設け、前記カウンターの側端部と前記キャビネットの底板との間に垂直に立ち上がった壁部を設けたことにより、カウンターとキャビネットの底板との間に良好な収納空間が形成されることとなり、この空間を有効利用することができ、カウンター側端部と部屋の壁面との間から収納物が落ちることがない。また、カウンターとキャビネットの扉の下端との隙間を大きく確保して、施工誤差を吸収させてすっきりとした状態で設置することができ、扉を開閉する際に扉がカウンターをこすって傷つける虞もなく、また、扉を開けてもカウンター側端部と部屋の壁面との間の隙間は見えないため、見栄え性が良好なものとなる。
【実施例】
【０００９】
以下、本発明の実施例を図面に基づいて説明する。
図１は、トイレ内に設置されたキャビネットとカウンターの正面構成図であり、図２は、カウンターとキャビネットの平面構成図である。また図３は、図１のＶ方向から見た矢視図である。
【００１０】
図において、トイレ内には、上方へ開閉可能な蓋１ａを有する便器１が設置されており、トイレの第１壁面Ｗ１に当接させて床面から立ち上げて長尺キャビネット２ａと短尺キャビネット２ｂが立設されている。この長尺キャビネット２ａの上面には、手洗い器３と水栓４が設けられたカウンター５が第１壁面Ｗ１に沿って水平に設置され、このカウンター５は、その裏側の固定用補強木５ｂを介してブラケット８で第１壁面Ｗ１に固定されている。
【００１１】
このカウンター５の図示右端側の側端部５ａは、トイレのコーナー部に設置されたコーナーキャビネット６内に呑み込まれて設置されている。
コーナーキャビネット６は、第１壁面Ｗ１と、この第１壁面Ｗ１と直交する第２壁面Ｗ２とで形成されるコーナーに設置されており、コーナーキャビネット６は、天板６１と、複数の棚板６２，６２と、底板６３と、左右側の側板６４，６５と、奥板６７と、前面の前板６６で構成され、図示右側の側板６４が第２壁面Ｗ２に当接されて、ビス７，７を介して固定されたものである。
【００１２】
本例では、この第２壁面Ｗ２に固定された側板６４と反対側のカウンター５の上方に位置する側板６５が扉となっており、この扉６５はカウンター５の上方で水平面内で開閉できるように構成されている。
なお、前板６６は固定されており、前板６６の下端には、底板６３よりも更に下方側へ延出され、カウンター５の高さ位置と同等まで延長された延長部６６ａが形成され、この延長部６６ａの奥側に前記カウンター５の側端部５ａが配置されて、側端部５ａと第２壁面Ｗ２間の隙間が前板６６の延長部６６ａで隠されている。
なお、前板６６の延長部６６ａの下端裏側にはスペーサー９が設けられており、このスペーサー９がカウンター５の前面に当接され、シリコンコーキングＣを施されて、隙間なくカウンター５の前面に前板６６が固定されている。
【００１３】
なお、扉６５の下端は、底板６３よりも僅かに下方に突出した手掛け部６５ａとなっており、この手掛け部６５ａを手で引っ掛けて扉６５を良好に開閉できるものであり、扉６５の下端とカウンター５間には、かなりの高さ寸法の隙間が形成されているため、この隙間で、施工誤差によるカウンター５とコーナーキャビネット６の隙間を気にならないようにすることができ、扉６５を開閉する時にカウンター５にこすれることがないため、カウンター５を傷つける虞はない。
【００１４】
さらに、底板６３とカウンター５の側端部５ａとの間に垂直に壁部１０が設けられており、この壁部１０の下端はカウンター５の下面側に直角に折れ曲がった水平片１０ａとなっている。従って、水平片１０ａをカウンター５の下面に固定することで、壁部１０をカウンター５の側端部５ａから底板６３側に立ち上げて設置することができ、この壁部１０を設置することで、壁部１０の図示左側のカウンター５上に収納空間Ｓが形成されることとなり、この収納空間Ｓ内に、ロールペーパー等を良好に収納することができるものとなり、収納した物が、カウンターの側端部５ａと第２壁面Ｗ２との隙間から落下することが壁部１０で良好に防がれ、収納空間Ｓ内にはロールペーパー以外の小物も収納しておくことができるものである。
【００１５】
なお、この収納空間Ｓは、スペーサー９により、前方側への寸法が広げられているため、扉６５に邪魔されることなく、良好に収納空間Ｓ内にロールペーパー等を収納できるものである。
なお、このような構成では、扉６５を開けても、カウンター５の側端部５ａと第２壁面Ｗ２との隙間は見えることはないため、見栄えが良好なものとなる。
【００１６】
なお、コーナーキャビネット６の前板６６は固定されており、側板で構成される扉６５が開閉可能であり、扉６５はカウンター５上で開閉されるものであるため、狭いトイレ内で便器１の蓋１ａや便器１に座っている人と扉６５が干渉することがなく、良好に扉６５を開閉でき、使い勝手が良好なものとなる。
【００１７】
なお、前記壁部１０は別体で形成してカウンター５側に固定するように構成しても、また、カウンター５と一体形成したものであっても良く、更には、コーナーキャビネット６の底板６３と壁部１０を一体形成したものであっても良い。
なお、図において、１１は鏡であり、１２はタオル１３を掛けるためのタオル掛けであり、１４は手摺りである。
また、カウンター５の下面にはペーパーホルダー１５が設置されており、短尺キャビネット２ｂの上面には、カウンター５と平行に棚板１６が設置されている。
【００１８】
なお、コーナーキャビネット６内の棚板６２，６２は、その高さ位置を変更できるように、調節用ダボ孔６ａが、キャビネット６の前板６６と奥板６７に上下方向に間隔を置いて複数個形成されており、この上下方向のダボ孔６ａを選択してダボを嵌め込んで、棚板６２を任意の高さに調整して設けることができ、棚板６２より、側板６４を固定するためのビス７の頭を良好に隠すことができるように設定されている。
【００１９】
なお、コーナーキャビネット６は、側板６４の存在しないタイプであっても良く、図４に示すように側板６４を有しないコーナーキャビネット６においては、奥板６７が第１壁面Ｗ１にビス７を介して固定されてコーナーに設置されるものである。
【００２０】
なお、図５は、変更例を示すものであり、図５では、コーナーキャビネット６の底板６３をカウンター５の上面側に設置したものであり、この場合は、壁部１０は設ける必要がなく、収納空間Ｓも形成されないものであり、キャビネットの底板６３がカウンター５上にほぼ当接状態で配置されるため、カウンター５の側端部５ａと第２壁面Ｗ２間の隙間は完全に隠されて、すっきりとした設置状態が得られるものである。
【００２１】
なお、この場合は、扉６５の下端は底板６３と略同じ高さ位置に配置されており、扉６５を開閉する時に、その下端がカウンター５にこすれることのないように設定しておくことができる。また、前板６６の下端は、カウンター５の高さ位置に対して下方まで延長されている。
その他の構成は図１と同様であるため、同一部材については同一符号を付して、その説明を省略する。
【図面の簡単な説明】
【００２２】
【図１】トイレ内に設置されたカウンターとキャビネットの正面構成図である。
【図２】図１のカウンターとキャビネットの平面構成図である。
【図３】図１におけるコーナーキャビネットをＶ方向から見たＶ方向矢視図である。
【図４】側板が一つで構成されたコーナーキャビネットを設置した場合の図２に対応した平面構成図である。
【図５】コーナーキャビネットの変更例を示す図１に対応させた正面構成図である。
【図６】従来のカウンターとキャビネットの配置状態の要部拡大構成図である。
【符号の説明】
【００２３】
１  便器
１ａ  蓋
２ａ  長尺キャビネット
２ｂ  短尺キャビネット
３  手洗い器
５  カウンター
５ａ  側端部
５ｂ  固定用補強木
６  コーナーキャビネット
９  スペーサー
１０  壁部
１０ａ  水平片
６２  棚板
６３  底板
６４  側板
６５  扉
６５ａ  手掛け部
６６  前板
６６ａ  延長部
６７  奥板
Ｓ  収納空間
【図１】
2008067880.tif 000003
【図２】
2008067880.tif 000004
【図３】
2008067880.tif 000005
【図４】
2008067880.tif 000006
【図５】
2008067880.tif 000007
【図６】
2008067880.tif 000008